(57)【要約】【課題】投影機能に関する設定や調整を容易に行うことができる電子機器を提供する。【解決手段】プロジェクタ部３０から画像を投影しているときにメニューボタン２１３が押圧されると、プロジェクタ機能に関する調整を行うのか、プロジェクタ機能に関する設定を行うのかを問い合わせる問い合わせ画像１０７ａが表示されるように構成した。そして、ロータリーセレクタ２１５の回転操作によって、問い合わせ画像１０７ａの中の「投影画像調整」が選択されて、ＯＫボタン２１６が押圧されると、電子カメラ１の動作モードが投影画像調整モードへ移行するように構成した。これにより、輝度調整や、色調調整、キーストン調整、ピント調整といった投影機能に関する調整を容易に行うことができる。【選択図】図１
2008252603.tif 000002
【特許請求の範囲】
【請求項１】
被写体像を撮像する撮像手段と、
画像を投影する投影手段と、
電子機器本体に設けられた表示手段と、
前記撮像手段によって被写体像を撮像する撮影モードと、前記投影手段によって画像を投影する投影モードとを切り替えて設定するモード設定手段と、
設定や調整を行うための画面を呼び出すための操作入力を受け付ける操作部材と、
前記モード設定手段によって前記撮影モードに設定されている場合には、前記操作部材が操作されると被写体像の撮像に関して設定や調整を行うための画面を前記表示手段に表示させ、前記モード設定手段によって前記投影モードに設定されている場合には、前記操作部材が操作されると画像の投影に関して設定や調整を行うための画面を前記表示手段に表示させるよう制御する画面表示制御手段とを備えることを特徴とする電子機器。
【請求項２】
請求項１に記載の電子機器において、
前記投影手段で投影する画像を制御する投影画像制御手段をさらに備え、
前記モード設定手段によって前記投影モードに設定されている際に前記操作部材が操作された場合には、前記表示手段に表示される、画像の投影に関して設定や調整を行うための画面の画像と、前記投影手段で投影される画像とは異なることを特徴とする電子機器。
【請求項３】
請求項２に記載の電子機器において、
前記モード設定手段によって前記投影モードに設定されている際に前記操作部材が操作された場合には、前記画面表示制御手段は、前記操作部材が操作されると画像の投影に関して設定や調整を行うための画面を前記表示手段に表示させるよう制御し、前記投影画像制御手段は、前記操作部材が操作される前に前記投影手段で投影していた画像を継続して投影するように前記投影手段を制御することを特徴とする電子機器。
【請求項４】
請求項１に記載の電子機器において、
画像の投影に関する設定や調整の項目のうち、設定や調整が行われた項目を記憶する記憶手段をさらに備え、
前記画面表示制御手段は、前記モード設定手段によって前記投影モードに設定されている場合には、前記操作部材が操作されると、画像の投影に関する設定や調整の項目のうち、直近に設定や調整が行われた項目を前記記憶手段から読み込んで、読み込んだ前記項目について設定や調整を行うための画面を前記表示手段に表示させるよう制御することを特徴とする電子機器。
【発明の詳細な説明】
【技術分野】
【０００１】
本発明は、被写体像の撮影機能と、画像の投影機能とを備えた電子機器に関する。
【背景技術】
【０００２】
被写体像の撮影機能と、画像の投影機能とを備えた電子機器として、プロジェクタを備えたカメラが知られている（たとえば、特許文献１参照）。プロジェクタはカメラ本体に組み込まれており、プロジェクタ用の投影光学系を用いて画像をスクリーンに投影するように構成されている。
【０００３】
【特許文献１】特開２００５−２５０３９２号公報
【発明の開示】
【発明が解決しようとする課題】
【０００４】
しかし、特許文献１には、投影機能に関する設定や調整をどのように行うのかについては何も開示されていない。
【課題を解決するための手段】
【０００５】
（１）  請求項１の発明による電子機器は、被写体像を撮像する撮像手段と、画像を投影する投影手段と、電子機器本体に設けられた表示手段と、撮像手段によって被写体像を撮像する撮影モードと、投影手段によって画像を投影する投影モードとを切り替えて設定するモード設定手段と、設定や調整を行うための画面を呼び出すための操作入力を受け付ける操作部材と、モード設定手段によって撮影モードに設定されている場合には、操作部材が操作されると被写体像の撮像に関して設定や調整を行うための画面を表示手段に表示させ、モード設定手段によって投影モードに設定されている場合には、操作部材が操作されると画像の投影に関して設定や調整を行うための画面を表示手段に表示させるよう制御する画面表示制御手段とを備えることを特徴とする電子機器。
（２）  請求項２の発明は、請求項１に記載の電子機器において、投影手段で投影する画像を制御する投影画像制御手段をさらに備え、モード設定手段によって投影モードに設定されている際に操作部材が操作された場合には、表示手段に表示される、画像の投影に関して設定や調整を行うための画面の画像と、投影手段で投影される画像とは異なることを特徴とする。
（３）  請求項３の発明は、請求項２に記載の電子機器において、モード設定手段によって投影モードに設定されている際に操作部材が操作された場合には、画面表示制御手段は、操作部材が操作されると画像の投影に関して設定や調整を行うための画面を前記表示手段に表示させるよう制御し、投影画像制御手段は、操作部材が操作される前に投影手段で投影していた画像を継続して投影するように投影手段を制御することを特徴とする。
（４）  請求項４の発明は、請求項１に記載の電子機器において、画像の投影に関する設定や調整の項目のうち、設定や調整が行われた項目を記憶する記憶手段をさらに備え、画面表示制御手段は、モード設定手段によって投影モードに設定されている場合には、操作部材が操作されると、画像の投影に関する設定や調整の項目のうち、直近に設定や調整が行われた項目を記憶手段から読み込んで、読み込んだ項目について設定や調整を行うための画面を表示手段に表示させるよう制御することを特徴とする。
【発明の効果】
【０００６】
本発明によれば、投影機能に関する設定や調整を容易に行うことができる。
【発明を実施するための最良の形態】
【０００７】
図１〜１３を参照して、本発明による電子機器をカメラに適用した一実施の形態を説明する。図1は、本発明を適用した電子カメラ１の外観を示す図であり、図１（ａ），（ｂ），（ｃ）は、それぞれ電子カメラ１を正面、上面、背面から見た図である。電子カメラ１のボディ１０の正面には、撮影レンズ用の窓部１０１と、被写体に光を照射する発光部１０２と、画像を投影するプロジェクタのプロジェクタ投射窓１０３とが設けられている。電子カメラ１の上面には、レリーズボタン１０４、および、メインスイッチボタン１０５が設けられている。
【０００８】
ボディ１０の背面には、液晶表示器１０７、および操作部材２１が設けられている。操作部材２１は、ズームボタン２１０、モードボタン２１１、切替ボタン２１２、メニューボタン２１３、削除ボタン２１４、ロータリーセレクタ２１５、およびOKボタン２１６などを含む。操作部材２１は、後述するカメラモードにおいて操作されるとともに、投影モードにおいて操作されるものが含まれている。電子カメラ１の撮像光学系は、窓部１０１から入射した被写体光束を高さ方向に屈折させる屈折光学系として構成されている。
【０００９】
レリーズボタン１０４は、レリーズ操作を行うための操作ボタンである。メインスイッチボタン１０５は、電子カメラ１の電源をオン／オフするための操作ボタンである。液晶表示器１０７は、撮像して得られた画像や各種のメニュー画面を表示する表示モニタとして働くほか、撮像時に、被写体の画像（スルー画）を表示する電子ファインダとして働く。なお、スルー画は、本撮影の前段階として後述する撮像素子で繰り返し取得される予備撮影画像である。
【００１０】
ズームボタン２１０は、撮像光学系の焦点距離の変更操作や、プロジェクタとして投影する画像の拡大縮小操作（ズーム操作）を行うための操作ボタンであり、左右端の押圧操作が可能である。モードボタン２１１は、被写体像を撮像する撮影モードと、撮像して得た画像を液晶表示器１０７に表示させる再生モードとを切り替えるための操作ボタンである。切替ボタン２１２は、撮影モードまたは再生モードで動作中の電子カメラ１を、画像を投影する投影モードに切り替えるための操作ボタンである。
【００１１】
メニューボタン２１３は、電子カメラ１の各種機能を選択、設定、調節するための各メニュー画面などを液晶表示器１０７に表示させる際に操作される操作ボタンである。削除ボタン２１４は、撮像して得た画像を消去する際に操作される操作ボタン（消去ボタン）である。ロータリーセレクタ２１５は、時計方向および反時計方向に回動可能に構成された操作部材であり、たとえば、液晶表示器１０７に表示された項目の中から選択する項目を順次変更するためなどに用いられるものである。OKボタン２１６は、たとえば、ロータリーセレクタ２１５による選択操作で選択された項目を確定する際に操作される操作ボタンである。
【００１２】
図２は、電子カメラ１のブロック図である。電子カメラ１は、プロジェクタ部３０、撮像部４０、制御回路５０、メモリ６０、液晶表示器１０７、およびメモリカードインタフェース１０９を有する。また電子カメラ１は、半押しスイッチ１０４ａ、全押しスイッチ１０４ｂ、メインスイッチ１０５ａ、右ズームスイッチ２１０ａ、左ズームスイッチ２１０ｂ、モードスイッチ２１１ａ、切替スイッチ２１２ａ、メニュースイッチ２１３ａ、削除スイッチ２１４ａ、ロータリスイッチ２１５ａ、およびＯＫスイッチ２１６ａを有する。
【００１３】
制御回路５０は、制御プログラムに基づいて、電子カメラ１を構成する各部から入力される信号を用いて所定の演算を行なうなどして、電子カメラ１の各部に対する制御信号を送出して、撮影動作および投影動作の制御を行なう。なお、制御プログラムは制御回路５０内の不図示の不揮発性メモリに格納されている。
【００１４】
メモリ６０は、制御プログラムを格納するＲＯＭ、制御回路５０の作業エリアのＲＡＭ、および、各種設定値などを記憶する不揮発メモリを含むメモリである。
【００１５】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００１６】
半押しスイッチ１０４ａは、レリーズボタン１０４が半押し操作されるとオン信号を制御回路５０へ出力する。全押しスイッチ１０４ｂは、レリーズボタン１０４が全押し操作されるとオン信号を制御回路５０へ出力する。右ズームスイッチ２１０ａは、ズームボタン２１０の右側端部が押圧操作されると操作信号を制御回路５０へ出力する。左ズームスイッチ２１０ｂは、ズームボタン２１０の左側端部が押圧操作されると操作信号を制御回路５０へ出力する。
【００１７】
ロータリースイッチ２１５ａは、ロータリーセレクタ２１５の回転方向および回転量に応じた操作信号を制御回路５０へ出力する。メインスイッチ１０５ａ、モードスイッチ２１１ａ、および切替スイッチ２１２ａは、メインスイッチボタン１０５、モードボタン２１１、および切替ボタン２１２が押圧操作されると操作信号をそれぞれ制御回路５０へ出力する。メニュースイッチ２１３ａ、削除スイッチ２１４ａ、およびＯＫスイッチ２１６ａは、メニューボタン２１３、削除ボタン２１４、およびOKボタン２１６が押圧操作されると操作信号をそれぞれ制御回路５０へ出力する。
【００１８】
−−−撮像部４０−−−
撮像部４０は、撮影レンズ４０１、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００１９】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００２０】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。
【００２１】
−−−プロジェクタ部３０−−−
図２、図３を参照して、プロジェクタ部３０について説明する。図２のブロック図、および図３のプロジェクタ部３０の構成図に示すように、プロジェクタ部３０は、レンズ駆動回路３００、投影光学系３０１、液晶パネル３０２、ＬＥＤ光源３０３、集光光学系３０４、ＰＢＳ（偏光ビームスプリッタ）ブロック３０５、投射制御回路３０６、および屈曲プリズム３０７を備える。液晶パネル３０２は、投射制御回路３０６からの駆動信号に応じて光像を生成する。なお、本実施の形態では、液晶パネル３０２として図３に示すように反射型の液晶パネルを使用する。投射制御回路３０６は、制御回路５０から出力される投影指令に応じてＬＥＤ光源３０３および液晶パネル３０２を制御する。
【００２２】
ＬＥＤ光源３０３は、白色光を射出する白色ＬＥＤであり、投射制御回路３０６を介して入力した制御回路５０の投影指令に基づいて、図３に示す光軸Ｌ１に沿って白色光を射出する。集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の図示右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投射制御回路３０６により駆動される。
【００２３】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を図示右向きに進行し、液晶パネル３０２の反射面で反射された後、液晶層を図示左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００２４】
投影光学系３０１は、液晶パネル３０２から射出される光像を屈曲プリズム３０７へ導く。図２のレンズ駆動回路３００は、投射制御回路３０６から出力されるフォーカス調節信号に基づいて、投影光学系３０１を構成するフォーカスレンズを光軸Ｌ２方向へ進退駆動する。レンズ駆動回路３００はさらに、投射制御回路３０６から出力されるズーム調節信号に基づいて、投影光学系３０１を構成するズームレンズを光軸Ｌ２方向へ進退駆動する。屈曲プリズム３０６は投影光学系３０１から入射した投影光を光軸Ｌ３の方向へ偏向してプロジェクタ投射窓１０３から投影画像をボディ１０の正面に向けて投影する（図３）。
【００２５】
電子カメラ１には、上述したプロジェクタ装置（プロジェクタ部）３０が搭載されている。この電子カメラ１は正面に配設されるスクリーンなどに向けて、画像などの情報をプロジェクタ投射窓１０３から投影する。そのため、電子カメラ１は、プロジェクタ部３０により画像を投影するための投影モードと、撮像部４０により被写体像を撮像（撮影）するための撮影モード（カメラモード）と、撮像して得た画像を液晶表示器１０７に表示させる再生モードとを動作モードとして有する。なお、電子カメラ１は、各動作モードにおいて、各種調整や設定を行うための下位のモードを有する。
【００２６】
−−−電子カメラ１の動作説明−−−
次に、投影モードに設定された後の動作を中心に、電子カメラ１の動作を説明する。電子カメラ１の電源がオフされているときに、所定時間以上メインスイッチボタン１０５が押圧されると、電子カメラ１の電源がオンとなり、電子カメラ１がカメラモードで起動する。すなわち、制御回路５０は、電子カメラ１の電源がオフされているときに、所定時間以上メインスイッチ１０５ａからの操作信号を連続して受信すると、電子カメラ１の電源をオンとして、カメラモードで起動するよう各部を制御する。
【００２７】
カメラモードで動作中にメニューボタン２１３が押圧されると、被写体像の撮像に関して（撮影機能に関して）設定や調整を行うためのモードに移行し、被写体像の撮像に関して設定や調整を行うための画面が液晶表示器１０７に表示される。
【００２８】
カメラモードで動作中に切替ボタン２１２が押圧されると、電子カメラ１の動作モードが投影モードに移行する。すなわち、制御回路５０は、カメラモードに設定されているときに、切替スイッチ２１２ａからの操作信号を受信すると、電子カメラ１の動作モードを投影モードに設定する。また、制御回路５０は、プロジェクタ部３０から投影していた直近の画像のデータ、または、撮像部４０で撮像して得られた直近の画像のデータをメモリカードインターフェイス１０９を介してメモリカード１１０から読み込む。そして、制御回路５０は、読み込んだ画像のデータを再生してプロジェクタ部３０から投影するように各部を制御する。また、制御回路５０は、液晶表示器１０７の表示を中止するよう液晶表示器１０７を制御する。
【００２９】
プロジェクタ部３０から画像を投影しているときにメニューボタン２１３が押圧されると、図４に示すように、プロジェクタ機能に関する調整を行うのか、プロジェクタ機能に関する設定を行うのかを問い合わせる問い合わせ画像１０７ａが液晶表示器１０７に表示される。なお、投影画像には特に変化は生じない。すなわち、制御回路５０は、プロジェクタ部３０から画像を投影しているときにメニュースイッチ２１３ａからの操作信号を受信すると、図４の問い合わせ画面１０７ａを表示するよう、液晶表示器１０７を制御する。
【００３０】
ユーザは、ロータリーセレクタ２１５を操作することで、液晶表示器１０７に表示されている、プロジェクタ機能に関する調整モード（投影画像調整モード）への移行を指示する「投影画像調整」か、プロジェクタに関する設定モードへの移行を指示する「プロジェクタ設定」のいずれかを選択することができる。なお、図４では、「投影画像調整」が選択されて強調表示されている様子を示している。
【００３１】
ロータリーセレクタ２１５の回転操作によって「投影画像調整」が選択されて、ＯＫボタン２１６が押圧されると、電子カメラ１の動作モードは、投影画像調整モードへ移行する。ロータリーセレクタ２１５の回転操作によって「プロジェクタ設定」が選択されて、ＯＫボタン２１６が押圧されると、電子カメラ１の動作モードは、プロジェクタに関する設定モード（プロジェクタ設定モード）へ移行する。なお、問い合わせ画面１０７ａが表示されているときにメニューボタン２１３が押圧されると、液晶表示器１０７の表示が中止される。
【００３２】
投影画像調整モードに移行すると、図５（ａ）に示すように、液晶表示器１０７には投影画像調整モードのメニュー画面１０７ｂが表示される。なお、投影画像には特に変化は生じない。すなわち、制御回路５０は、液晶表示器１０７に表示された、図４における「投影画像調整」が選択されているときにＯＫスイッチ２１６ａからの操作信号を受信すると、投影画像調整モードへ移行するよう各部を制御するとともに、図５（ａ）のメニュー画面１０７ｂを表示するよう、液晶表示器１０７を制御する。なお、図４における問い合わせ画面１０７ａが表示されているときにメニュースイッチ２１３ａからの操作信号を受信すると、制御回路５０は、液晶表示器１０７の表示を中止するよう液晶表示器１０７を制御する。
【００３３】
ここで、上述した場合と同様に、ユーザは、ロータリーセレクタ２１５を操作することで、メニュー画面１０７ｂの中から、「輝度調整」や、「色調調整」、「キーストン調整」、「ピント調整」などを任意に選択できる。図5（ａ）は、「輝度調整」が選択されて、強調表示されている様子を示している。図5（ｂ）は、「色調調整」が選択されて、強調表示されている様子を示している。図5（ｃ）は、「キーストン調整」が選択されて、強調表示されている様子を示している。図5（ｄ）は、「ピント調整」が選択されて、強調表示されている様子を示している。
【００３４】
なお、メニュー画面１０７ｂが表示されているときにメニューボタン２１３が押圧されると、液晶表示器１０７には図４の問い合わせ画面１０７ａが表示される。すなわち、メニュー画面１０７ｂが表示されているときにメニュースイッチ２１３ａからの操作信号を受信すると、制御回路５０は、図４の問い合わせ画面１０７ａを表示するよう、液晶表示器１０７を制御する。
【００３５】
−−−輝度調整モード−−−
ロータリーセレクタ２１５の回転操作によって、図５（ａ）に示すように液晶表示器１０７に表示された「輝度調整」が選択されて、ＯＫボタン２１６が押圧されると、電子カメラ１の動作モードは、投影画像の輝度を調整する輝度調整モードへ移行する。輝度調整モードに移行すると、図６に示すように、液晶表示器１０７には輝度調整画面１０７ｃが表示される。なお、投影画像は輝度調整に適した画像に変更される。輝度調整画面１０７ｃでは、たとえば、輝度調節範囲と現在の設定輝度を示すバーグラフや、現在の設定輝度を示す数値が表示される。
【００３６】
すなわち、制御回路５０は、「輝度調整」が選択されているときにＯＫスイッチ２１６ａからの操作信号を受信すると、輝度調整モードへ移行するよう各部を制御するとともに、図６の輝度調整画面１０７ｃを表示するよう、液晶表示器１０７を制御する。そして、制御回路５０は、現在の（輝度調整前の）ＬＥＤ光源３０３の駆動電流の設定値を投射制御回路３０６から読み込んでメモリ６０に記憶させる。また、制御回路５０は、メモリ６０から輝度調整用の画像データを読み込んで、読み込んだ画像のデータを再生してプロジェクタ部３０から投影するように各部を制御する。
【００３７】
輝度調整モードでは、ユーザは、ロータリーセレクタ２１５の回転操作によって輝度調整を行うことができる。ロータリーセレクタ２１５が回転操作されると、操作量に応じてプロジェクタ部３０から投影される画像の明るさが変化する。すなわち、制御回路５０は、ロータリースイッチ２１５ａからの操作信号に基づいてＬＥＤ光源３０３の駆動電流を増減するよう、投射制御回路３０６を制御する。
【００３８】
また、ユーザは、ロータリーセレクタ２１５の回転操作によって輝度調整を行った後、ＯＫボタン２１６を押圧することで調整した輝度を確定することができる。ユーザによるロータリーセレクタ２１５の回転操作によって輝度が調節されて、OKボタン２１６が押圧されると、図７（ａ）に示すように、液晶表示器１０７には、調整した輝度で画像を投影して確認をするか否かを問い合わせる問い合わせ画面１０７ｄが表示される。なお、投影画像は輝度調整用の画像のままである。
【００３９】
すなわち、制御回路５０は、輝度調整モードに設定されているときにＯＫスイッチ２１６ａからの操作信号を受信すると、図７（ａ）に示した問い合わせ画面１０７ｄを表示するよう液晶表示器１０７を制御する。
【００４０】
輝度調整モードに設定されているときにメニューボタン２１３が押圧されると、投影画像調整モードに戻り、図５（ａ）に示すように、液晶表示器１０７には投影画像調整モードのメニュー画面１０７ｂが表示される。また、このとき、輝度調整用の画像に代えて、投影画像調整モード移行前に投影していた画像が、輝度調整前の明るさで投影される。
【００４１】
すなわち、輝度調整モードに設定されているときにメニュースイッチ２１３ａからの操作信号を受信すると、制御回路５０は、投影画像調整モードに戻り、図５（ａ）に示すように、投影画像調整モードのメニュー画面１０７ｂを液晶表示器１０７に表示するよう各部を制御する。また、制御回路５０は、輝度調整前のＬＥＤ光源３０３の駆動電流の設定値をメモリ６０から読み込んで、ＬＥＤ光源３０３の駆動電流の設定値を読み込んだ設定値とするように投射制御回路３０６を制御する。制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００４２】
−−−問い合わせ画面１０７ｄが表示された場合−−−
（１）  ユーザによるロータリーセレクタ２１５の回転操作によって、図７（ａ）に示す問い合わせ画面１０７ｄに表示された「はい」が選択されて、ＯＫボタン２１６が押圧されると、輝度調整用の画像に代えて、投影画像調整モード移行前に投影していた画像が、ユーザが設定した輝度で投影される。また、液晶表示器１０７には、図７（ｂ）に示すように、輝度調整がこれでよいかどうかを問い合わせる問い合わせ画面１０７ｅが表示される。
【００４３】
すなわち、制御回路５０は、問い合わせ画面１０７ｄ上で「はい」が選択されているときにＯＫスイッチ２１６ａからの操作信号を受信すると、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００４４】
投射制御回路３０６は、図６の輝度調整画面１０７ｃ上で調整・変更された後の駆動電流でＬＥＤ光源３０３を点灯し、投影画像調整モード移行前に投影していた画像を液晶パネル３０２に表示するよう各部を制御する。その結果、投影画像調整モード移行前に投影していた画像が、ユーザが設定した輝度で投影されることとなる。
【００４５】
また、制御回路５０は、図７（ｂ）に示す問い合わせ画面１０７ｅを表示するよう液晶表示器１０７を制御する。
【００４６】
（２）  ユーザによるロータリーセレクタ２１５の回転操作によって、図７（ａ）に示す問い合わせ画面１０７ｄに表示された「いいえ」が選択されて、ＯＫボタン２１６が押圧されると、液晶表示器１０７には、図５（ａ）に示す、投影画像調整モードのメニュー画面１０７ｂが表示され、再び調節項目の選択が可能となる。また、輝度調整用の画像に代えて、投影画像調整モード移行前に投影していた画像が、ユーザが設定した輝度で投影される。
【００４７】
すなわち、制御回路５０は、問い合わせ画面１０７ｄ上で「いいえ」が選択されているときにＯＫスイッチ２１６ａからの操作信号を受信すると、図５（ａ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００４８】
投射制御回路３０６は、図６の輝度調整画面１０７ｃ上で調整・変更された後の駆動電流でＬＥＤ光源３０３を点灯し、投影画像調整モード移行前に投影していた画像を液晶パネル３０２に表示するよう各部を制御する。その結果、投影画像調整モード移行前に投影していた画像が、ユーザが設定した輝度で投影されることとなる。
【００４９】
−−−輝度確認のため画像を投影させた場合−−−
（１）  図７（ｂ）に示す問い合わせ画面１０７ｅに表示された「はい」が選択されて、ＯＫボタン２１６が押圧されたときの電子カメラ１の動作は、上述した、「図７（ａ）の問い合わせ画面１０７ｄに表示された「いいえ」が選択されて、ＯＫボタン２１６が押圧された」場合と同じである。すなわち、問い合わせ画面１０７ｅに表示された「はい」が選択されて、ＯＫボタン２１６が押圧されると、液晶表示器１０７には、図５（ａ）に示す、投影画像調整モードのメニュー画面１０７ｂが表示され、再び調節項目の選択が可能となる。また、輝度調整用の画像に代えて、投影画像調整モード移行前に投影していた画像が、ユーザが設定した輝度で投影される。
【００５０】
すなわち、制御回路５０は、問い合わせ画面１０７ｅ上で「はい」が選択されているときにＯＫスイッチ２１６ａからの操作信号を受信すると、図５（ａ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００５１】
投射制御回路３０６は、図６の輝度調整画面１０７ｃ上で調整・変更された後の駆動電流でＬＥＤ光源３０３を点灯し、投影画像調整モード移行前に投影していた画像を液晶パネル３０２に表示するよう各部を制御する。その結果、投影画像調整モード移行前に投影していた画像が、ユーザが設定した輝度で投影されることとなる。
【００５２】
（２）  図７（ｂ）に示す問い合わせ画面１０７ｅに表示された「いいえ」が選択されて、ＯＫボタン２１６が押圧されると、液晶表示器１０７には、図６に示す輝度調整画面１０７ｃが表示され、再び輝度調節が可能となる。なお、投影画像は輝度調整に適した画像に再び変更される。すなわち、制御回路５０は、問い合わせ画面１０７ｅ上で「いいえ」が選択されているときにＯＫスイッチ２１６ａからの操作信号を受信すると、図６の輝度調整画面１０７ｃを表示するよう、液晶表示器１０７を制御する。そして、制御回路５０は、メモリ６０から輝度調整用の画像データを読み込んで、読み込んだ画像のデータを再生してプロジェクタ部３０から投影するように各部を制御する。
【００５３】
（３）  図７（ｂ）に示す問い合わせ画面１０７ｅに表示された「他の画像で確認する」が選択されて、ＯＫボタン２１６が押圧されると、現在投影している画像（投影画像調整モード移行前に投影していた画像）に代えて、当該画像の撮影時よりも前に撮影して得られた画像の中から、最も新しい画像が、ユーザが設定した輝度で投影される。また、液晶表示器１０７には、図７（ｂ）に示すように、輝度調整がこれでよいかどうかを問い合わせる問い合わせ画面１０７ｅが再び表示される。
【００５４】
すなわち、制御回路５０は、問い合わせ画面１０７ｅ上で「他の画像で確認する」が選択されているときにＯＫスイッチ２１６ａからの操作信号を受信すると、現在投影している画像の撮影時よりも前に撮影して得られた画像の中から、最も新しい画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００５５】
投射制御回路３０６は、図６の輝度調整画面１０７ｃ上で調整・変更された後の駆動電流でＬＥＤ光源３０３を点灯し、制御回路５０で再生された画像を液晶パネル３０２に表示するよう各部を制御する。その結果、それまで投影されていた画像とは別の画像が、ユーザが設定した輝度で投影されることとなる。
【００５６】
また、制御回路５０は、図７（ｂ）に示す問い合わせ画面１０７ｅを表示するよう液晶表示器１０７を制御する。
【００５７】
−−−色調調整モード−−−
図５（ａ）に示すように、液晶表示器１０７に投影画像調整モードのメニュー画面１０７ｂが表示されているときに、図５（ｂ）に示すように、「色調調整」が選択されて、ＯＫボタン２１６が押圧されると、電子カメラ１の動作モードは、投影画像の色調を調整する色調調整モードへ移行する。色調調整モードに移行すると、図８に示すように、液晶表示器１０７には色調調整画面１０７ｆが表示される。なお、投影画像は色調調整に適した画像に変更される。色調調整画面１０７ｆでは、たとえば、色調調整を行うための色見本画像や、ＲＧＢの各出力の出力状態を示すバーグラフなどが表示される。
【００５８】
すなわち、制御回路５０は、図５（ｂ）に示すように、「色調調整」が選択されているときにＯＫスイッチ２１６ａからの操作信号を受信すると、色調調整モードへ移行するよう各部を制御するとともに、図８の色調調整画面１０７ｆを表示するよう、液晶表示器１０７を制御する。そして、制御回路５０は、現在の（色調調整前の）Ｒ，Ｇ，Ｂの各色の出力レベルを投射制御回路３０６から読み込んでメモリ６０に記憶させる。また、制御回路５０は、メモリ６０から色調調整用の画像データを読み込んで、読み込んだ画像のデータを再生してプロジェクタ部３０から投影するように各部を制御する。
【００５９】
色調調整モードでは、ユーザは、ロータリーセレクタ２１５の回転操作によってＲ，Ｇ，Ｂの各色の出力レベルを個別に調整を行うことができる。また、ユーザは、ズームボタン２１０の左右端を押圧することで、調整する色を順次選択できる。すなわち、ズームボタン２１０の右側端部が押圧される度にロータリーセレクタ２１５の回転操作によって調節できる色が、Ｒ，Ｇ，Ｂ，Ｒ・・・と順次変化する。また、ズームボタン２１０の左側端部が押圧される度にロータリーセレクタ２１５の回転操作によって調節できる色が、Ｂ，Ｇ，Ｒ，Ｂ・・・と、ズームボタン２１０の右側端部が押圧されたときとは逆の順序で変化する。
【００６０】
したがって、ロータリーセレクタ２１５が回転操作されると、操作量に応じてＲ，Ｇ，Ｂの各色の出力レベルが個別に変化して、プロジェクタ部３０から投影される画像の色調が変化する。ズームボタン２１０の左右端が押圧されると、ロータリーセレクタ２１５で調節できる色が順次変更される。すなわち、制御回路５０は、右ズームスイッチ２１０ａまたは左ズームスイッチ２１０ｂからの操作信号に基づいて、調整する色を変更するよう投射制御回路３０６を制御する。また、制御回路５０は、ロータリースイッチ２１５ａからの操作信号に基づいて、ズームボタン２１０の操作によって調整可能となっているＲ，Ｇ，Ｂのいずれかの色の出力レベルを増減するよう、投射制御回路３０６を制御する。
【００６１】
ユーザは、ロータリーセレクタ２１５の回転操作によって色調調整を行った後、ＯＫボタン２１６を押圧することで調整した色調を確定することができる。OKボタン２１６が押圧されると、図９（ａ）に示すように、液晶表示器１０７には、調整した色調で画像を投影して確認をするか否かを問い合わせる問い合わせ画面１０７ｇが表示される。なお、投影画像は色調調整用の画像のままである。
【００６２】
すなわち、制御回路５０は、色調調整モードに設定されているときにＯＫスイッチ２１６ａからの操作信号を受信すると、図９（ａ）に示した問い合わせ画面１０７ｇを表示するよう液晶表示器１０７を制御する。
【００６３】
なお、色調調整モードに設定されているときにメニューボタン２１３が押圧されると、投影画像調整モードに戻り、図５（ｂ）に示すように、液晶表示器１０７には投影画像調整モードのメニュー画面１０７ｂが表示される。また、このとき、色調調整用の画像に代えて、投影画像調整モード移行前に投影していた画像が、色調調整前の色調で投影される。
【００６４】
すなわち、色調調整モードに設定されているときにメニュースイッチ２１３ａからの操作信号を受信すると、制御回路５０は、投影画像調整モードに戻り、図５（ｂ）に示すように、投影画像調整モードのメニュー画面１０７ｂを液晶表示器１０７に表示するよう各部を制御する。また、制御回路５０は、色調調整前のＲ，Ｇ，Ｂの各色の出力レベルをメモリ６０から読み込んで、Ｒ，Ｇ，Ｂの各色の出力レベルを読み込んだ出力レベルとするように投射制御回路３０６を制御する。制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００６５】
−−−問い合わせ画面１０７ｇが表示された場合−−−
（１）  ユーザによるロータリーセレクタ２１５の回転操作によって、図９（ａ）に示す問い合わせ画面１０７ｇに表示された「はい」が選択されて、ＯＫボタン２１６が押圧されると、色調調整用の画像に代えて、投影画像調整モード移行前に投影していた画像が、ユーザが設定した色調で投影される。また、液晶表示器１０７には、図９（ｂ）に示すように、色調調整がこれでよいかどうかを問い合わせる問い合わせ画面１０７ｈが表示される。
【００６６】
すなわち、制御回路５０は、問い合わせ画面１０７ｇ上で「はい」が選択されているときにＯＫスイッチ２１６ａからの操作信号を受信すると、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００６７】
投射制御回路３０６は、図８の色調調整画面１０７ｆ上で調整・変更された後のＲＧＢ各色の出力レベルで、投影画像調整モード移行前に投影していた画像を液晶パネル３０２に表示するよう各部を制御する。その結果、投影画像調整モード移行前に投影していた画像が、ユーザが設定した色調で投影されることとなる。
【００６８】
また、制御回路５０は、図９（ｂ）に示す問い合わせ画面１０７ｇを表示するよう液晶表示器１０７を制御する。
【００６９】
（２）  ユーザによるロータリーセレクタ２１５の回転操作によって、図９（ａ）に示す問い合わせ画面１０７ｇに表示された「いいえ」が選択されて、ＯＫボタン２１６が押圧されると、液晶表示器１０７には、図５（ｂ）に示す、投影画像調整モードのメニュー画面１０７ｂが表示され、再び調節項目の選択が可能となる。また、色調調整用の画像に代えて、投影画像調整モード移行前に投影していた画像が、ユーザが設定した色調で投影される。
【００７０】
すなわち、制御回路５０は、問い合わせ画面１０７ｇ上で「いいえ」が選択されているときにＯＫスイッチ２１６ａからの操作信号を受信すると、図５（ｂ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００７１】
投射制御回路３０６は、図８の色調調整画面１０７ｆ上で調整・変更された後のＲＧＢ各色の出力レベルで、投影画像調整モード移行前に投影していた画像を液晶パネル３０２に表示するよう各部を制御する。その結果、投影画像調整モード移行前に投影していた画像が、ユーザが設定した色調で投影されることとなる。
【００７２】
−−−色調確認のため画像を投影させた場合−−−
（１）  図９（ｂ）に示す問い合わせ画面１０７ｈに表示された「はい」が選択されて、ＯＫボタン２１６が押圧されたときの電子カメラ１の動作は、上述した、「図９（ａ）の問い合わせ画面１０７ｇに表示された「いいえ」が選択されて、ＯＫボタン２１６が押圧された」場合と同じである。すなわち、問い合わせ画面１０７ｈに表示された「はい」が選択されて、ＯＫボタン２１６が押圧されると、液晶表示器１０７には、図５（ｂ）に示す、投影画像調整モードのメニュー画面１０７ｂが表示され、再び調節項目の選択が可能となる。また、色調調整用の画像に代えて、投影画像調整モード移行前に投影していた画像が、ユーザが設定した色調で投影される。
【００７３】
すなわち、制御回路５０は、問い合わせ画面１０７ｈ上で「はい」が選択されているときにＯＫスイッチ２１６ａからの操作信号を受信すると、図５（ｂ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００７４】
投射制御回路３０６は、図８の色調調整画面１０７ｆ上で調整・変更された後のＲＧＢ各色の出力レベルで、投影画像調整モード移行前に投影していた画像を液晶パネル３０２に表示するよう各部を制御する。その結果、投影画像調整モード移行前に投影していた画像が、ユーザが設定した色調で投影されることとなる。
【００７５】
（２）  図９（ｂ）に示す問い合わせ画面１０７ｈに表示された「いいえ」が選択されて、ＯＫボタン２１６が押圧されると、液晶表示器１０７には、図８に示す色調調整画面１０７ｆが表示され、再び色調調節が可能となる。なお、投影画像は色調調整に適した画像に再び変更される。すなわち、制御回路５０は、問い合わせ画面１０７ｈ上で「いいえ」が選択されているときにＯＫスイッチ２１６ａからの操作信号を受信すると、図８の色調調整画面１０７ｆを表示するよう、液晶表示器１０７を制御する。そして、制御回路５０は、メモリ６０から色調調整用の画像データを読み込んで、読み込んだ画像のデータを再生してプロジェクタ部３０から投影するように各部を制御する。
【００７６】
（３）  図９（ｂ）に示す問い合わせ画面１０７ｈに表示された「他の画像で確認する」が選択されて、ＯＫボタン２１６が押圧されると、現在投影している画像（投影画像調整モード移行前に投影していた画像）に代えて、当該画像の撮影時よりも前に撮影して得られた画像の中から、最も新しい画像が、ユーザが設定した輝度で投影される。また、液晶表示器１０７には、図９（ｂ）に示すように、色調調整がこれでよいかどうかを問い合わせる問い合わせ画面１０７ｈが再び表示される。
【００７７】
すなわち、制御回路５０は、問い合わせ画面１０７ｈ上で「他の画像で確認する」が選択されているときにＯＫスイッチ２１６ａからの操作信号を受信すると、現在投影している画像の撮影時よりも前に撮影して得られた画像の中から、最も新しい画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００７８】
投射制御回路３０６は、図８の色調調整画面１０７ｆ上で調整・変更された後のＲＧＢ各色の出力レベルで、制御回路５０で再生された画像を液晶パネル３０２に表示するよう各部を制御する。その結果、それまで投影されていた画像とは別の画像が、ユーザが設定した色調で投影されることとなる。
【００７９】
また、制御回路５０は、図９（ｂ）に示す問い合わせ画面１０７ｈを表示するよう液晶表示器１０７を制御する。
【００８０】
−−−キーストン調整モード−−−
図５（ａ）に示すように、液晶表示器１０７に投影画像調整モードのメニュー画面１０７ｂが表示されているときに、図５（ｃ）に示すように、「キーストン調整」が選択されて、ＯＫボタン２１６が押圧されると、電子カメラ１の動作モードは、投影画像の台形補正のためのパラメータの調整を行うキーストン調整モードへ移行する。キーストン調整モードに移行すると、図１０に示すように、液晶表示器１０７にはキーストン調整画面１０７ｉが表示される。なお、投影画像は台形補正のパラメータ調整に適した画像（パラメータ調整用画像）に変更される。キーストン調整画面１０７ｉでは、たとえば、台形補正のパラメータの調節範囲と、調整範囲の中で現在の設定状態がどの辺りになっているのかを示す表示バーが表示される。
【００８１】
すなわち、制御回路５０は、図５（ｃ）に示すように、「キーストン調整」が選択されているときにＯＫスイッチ２１６ａからの操作信号を受信すると、キーストン調整モードへ移行するよう各部を制御するとともに、図１０のキーストン調整画面１０７ｉを表示するよう、液晶表示器１０７を制御する。そして、制御回路５０は、現在の（キーストン調整前の）台形補正のパラメータの値を投射制御回路３０６から読み込んでメモリ６０に記憶させる。また、制御回路５０は、メモリ６０からパラメータ調整用の画像のデータを読み込んで、読み込んだ画像のデータを再生してプロジェクタ部３０から投影するように各部を制御する。
【００８２】
キーストン調整モードでは、ユーザは、ロータリーセレクタ２１５の回転操作によって台形補正のパラメータを調整できる。ロータリーセレクタ２１５が回転操作されると、操作量に応じてプロジェクタ部３０から投影される画像の台形補正の程度が変化する。すなわち、制御回路５０は、ロータリースイッチ２１５ａからの操作信号に基づいて台形補正のパラメータを変更するよう、投射制御回路３０６を制御する。
【００８３】
また、ユーザは、ロータリーセレクタ２１５の回転操作によってパラメータ調整を行った後、ＯＫボタン２１６を押圧することで調整内容を確定することができる。OKボタン２１６が押圧されると、図１１（ａ）に示すように、液晶表示器１０７には、画像を投影して調整状態を確認をするか否かを問い合わせる問い合わせ画面１０７ｊが表示される。なお、投影画像はパラメータ調整用画像のままである。
【００８４】
すなわち、制御回路５０は、キーストン調整モードに設定されているときにＯＫスイッチ２１６ａからの操作信号を受信すると、図１１（ａ）に示した問い合わせ画面１０７ｊを表示するよう液晶表示器１０７を制御する。
【００８５】
キーストン調整モードに設定されているときにメニューボタン２１３が押圧されると、投影画像調整モードに戻り、図５（ｃ）に示すように、液晶表示器１０７には投影画像調整モードのメニュー画面１０７ｂが表示される。また、このとき、パラメータ調整用画像に代えて、投影画像調整モード移行前に投影していた画像が台形補正のパラメータを調整する前の状態で投影される。
【００８６】
すなわち、キーストン調整モードに設定されているときにメニュースイッチ２１３ａからの操作信号を受信すると、制御回路５０は、投影画像調整モードに戻り、図５（ｃ）に示すように、投影画像調整モードのメニュー画面１０７ｂを液晶表示器１０７に表示するよう各部を制御する。また、制御回路５０は、キーストン調整前の（パラメータ調整前の）台形補正のパラメータの値をメモリ６０から読み込んで、台形補正のパラメータを読み込んだ値とするように投射制御回路３０６を制御する。制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００８７】
−−−問い合わせ画面１０７ｊが表示された場合−−−
（１）  ユーザによるロータリーセレクタ２１５の回転操作によって、図１１（ａ）に示す問い合わせ画面１０７ｊに表示された「はい」が選択されて、ＯＫボタン２１６が押圧されると、パラメータ調整用画像に代えて、投影画像調整モード移行前に投影していた画像が、パラメータ変更後の台形補正がなされた状態で投影される。また、液晶表示器１０７には、図１１（ｂ）に示すように、現在の投影状態でよいかどうかを問い合わせる問い合わせ画面１０７ｋが表示される。
【００８８】
すなわち、制御回路５０は、問い合わせ画面１０７ｊ上で「はい」が選択されているときにＯＫスイッチ２１６ａからの操作信号を受信すると、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００８９】
投射制御回路３０６は、図１０のキーストン調整画面１０７ｉ上で調整・変更された後のパラメータで台形補正をして、投影画像調整モード移行前に投影していた画像を液晶パネル３０２に表示するよう各部を制御する。その結果、投影画像調整モード移行前に投影していた画像が、パラメータ変更後の台形補正がなされた状態で投影されることとなる。
【００９０】
また、制御回路５０は、図１１（ｂ）に示す問い合わせ画面１０７ｋを表示するよう液晶表示器１０７を制御する。
【００９１】
（２）  ユーザによるロータリーセレクタ２１５の回転操作によって、図１１（ａ）に示す問い合わせ画面１０７ｊに表示された「いいえ」が選択されて、ＯＫボタン２１６が押圧されると、液晶表示器１０７には、図５（ｃ）に示す、投影画像調整モードのメニュー画面１０７ｂが表示され、再び調節項目の選択が可能となる。また、パラメータ調整用画像に代えて、投影画像調整モード移行前に投影していた画像が、パラメータ変更後の台形補正がなされた状態で投影される。
【００９２】
すなわち、制御回路５０は、問い合わせ画面１０７ｊ上で「いいえ」が選択されているときにＯＫスイッチ２１６ａからの操作信号を受信すると、図５（ｃ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００９３】
投射制御回路３０６は、図１０のキーストン調整画面１０７ｉ上で調整・変更された後のパラメータで台形補正をして、投影画像調整モード移行前に投影していた画像を液晶パネル３０２に表示するよう各部を制御する。その結果、投影画像調整モード移行前に投影していた画像が、パラメータ変更後の台形補正がなされた状態で投影されることとなる。
【００９４】
−−−台形補正のパラメータ調節確認のため画像を投影させた場合−−−
（１）  図１１（ｂ）に示す問い合わせ画面１０７ｋに表示された「はい」が選択されて、ＯＫボタン２１６が押圧されたときの電子カメラ１の動作は、上述した、「図１１（ａ）の問い合わせ画面１０７ｊに表示された「いいえ」が選択されて、ＯＫボタン２１６が押圧された」場合と同じである。すなわち、問い合わせ画面１０７ｋに表示された「はい」が選択されて、ＯＫボタン２１６が押圧されると、液晶表示器１０７には、図５（ｃ）に示す、投影画像調整モードのメニュー画面１０７ｂが表示され、再び調節項目の選択が可能となる。また、パラメータ調整用画像に代えて、投影画像調整モード移行前に投影していた画像が、パラメータ変更後の台形補正がなされた状態で投影される。
【００９５】
すなわち、制御回路５０は、問い合わせ画面１０７ｋ上で「はい」が選択されているときにＯＫスイッチ２１６ａからの操作信号を受信すると、図５（ｃ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【００９６】
投射制御回路３０６は、図１０のキーストン調整画面１０７ｉ上で調整・変更された後のパラメータで台形補正をして、投影画像調整モード移行前に投影していた画像を液晶パネル３０２に表示するよう各部を制御する。その結果、投影画像調整モード移行前に投影していた画像が、パラメータ変更後の台形補正がなされた状態で投影されることとなる。
【００９７】
（２）  図１１（ｂ）に示す問い合わせ画面１０７ｋに表示された「いいえ」が選択されて、ＯＫボタン２１６が押圧されると、液晶表示器１０７には、図１０に示すキーストン調整画面１０７ｉが表示され、再び台形補正のパラメータの調節が可能となる。なお、投影画像はパラメータ調整用画像に再び変更される。すなわち、制御回路５０は、問い合わせ画面１０７ｋ上で「いいえ」が選択されているときにＯＫスイッチ２１６ａからの操作信号を受信すると、図１０の色調調整画面１０７ｉを表示するよう、液晶表示器１０７を制御する。そして、制御回路５０は、メモリ６０からパラメータ調整用画像のデータを読み込んで、読み込んだ画像のデータを再生してプロジェクタ部３０から投影するように各部を制御する。
【００９８】
（３）  図１１（ｂ）に示す問い合わせ画面１０７ｋに表示された「他の画像で確認する」が選択されて、ＯＫボタン２１６が押圧されると、現在投影している画像（投影画像調整モード移行前に投影していた画像）に代えて、当該画像の撮影時よりも前に撮影して得られた画像の中から、最も新しい画像が、パラメータ変更後の台形補正がなされた状態で投影される。また、液晶表示器１０７には、図１１（ｂ）に示すように、現在の投影状態がこれでよいかどうかを問い合わせる問い合わせ画面１０７ｋが再び表示される。
【００９９】
すなわち、制御回路５０は、問い合わせ画面１０７ｋ上で「他の画像で確認する」が選択されているときにＯＫスイッチ２１６ａからの操作信号を受信すると、現在投影している画像の撮影時よりも前に撮影して得られた画像の中から、最も新しい画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【０１００】
投射制御回路３０６は、図１０のキーストン調整画面１０７ｉ上で調整・変更された後のパラメータで台形補正をして、制御回路５０で再生された画像を液晶パネル３０２に表示するよう各部を制御する。その結果、それまで投影されていた画像とは別の画像が、パラメータ変更後の台形補正がなされた状態で投影されることとなる。
【０１０１】
また、制御回路５０は、図１１（ｂ）に示す問い合わせ画面１０７ｋを表示するよう液晶表示器１０７を制御する。
【０１０２】
−−−ピント調整モード−−−
図５（ａ）に示すように、液晶表示器１０７に投影画像調整モードのメニュー画面１０７ｂが表示されているときに、図５（ｄ）に示すように、「ピント調整」が選択されて、ＯＫボタン２１６が押圧されると、電子カメラ１の動作モードは、投影画像のピントを調整するピント調整モードへ移行する。ピント調整モードに移行すると、図１２に示すように、液晶表示器１０７にはピント調整画面１０７ｌが表示される。なお、投影画像はピント調整に適した画像に変更される。ピント調整画面１０７ｌでは、たとえばISO12233解像度チャートのように、ピント調整を行うのに適したピント調整用画像や、ピント調整範囲の中で現在の設定状態がどの辺りになっているのかを示す表示バーなどが表示される。
【０１０３】
すなわち、制御回路５０は、図５（ｄ）に示すように、「ピント調整」が選択されているときにＯＫスイッチ２１６ａからの操作信号を受信すると、ピント調整モードへ移行するよう各部を制御するとともに、図１２のピント調整画面１０７ｌを表示するよう、液晶表示器１０７を制御する。そして、制御回路５０は、現在の（ピント調整前の）ピントの調節状態、すなわち、フォーカスレンズの駆動位置の情報を投射制御回路３０６から読み込んでメモリ６０に記憶させる。また、制御回路５０は、メモリ６０からピント調整用の画像データを読み込んで、読み込んだ画像のデータを再生してプロジェクタ部３０から投影するように各部を制御する。
【０１０４】
ピント調整モードでは、ユーザは、ロータリーセレクタ２１５の回転操作によって投影画像のピント調整（ピント合わせ）を行うことができる。ロータリーセレクタ２１５が回転操作されると、操作量に応じてプロジェクタ部３０から投影される画像のピントの調整状態が変化する。すなわち、制御回路５０は、ロータリースイッチ２１５ａからの操作信号に基づいて投影光学系３０１を構成するフォーカスレンズを光軸方向に駆動するよう、投射制御回路３０６を制御する。
【０１０５】
また、ユーザは、ロータリーセレクタ２１５の回転操作によってピント調整を行った後、ＯＫボタン２１６を押圧することでピントの調整状態を確定することができる。ユーザによるロータリーセレクタ２１５の回転操作によってピントが調節されて、OKボタン２１６が押圧されると、図１３（ａ）に示すように、液晶表示器１０７には、画像を投影してピントの調整状態を確認するか否かを問い合わせる問い合わせ画面１０７ｍが表示される。なお、投影画像はピント調整用の画像のままである。
【０１０６】
すなわち、制御回路５０は、ピント調整モードに設定されているときにＯＫスイッチ２１６ａからの操作信号を受信すると、図１３（ａ）に示した問い合わせ画面１０７ｍを表示するよう液晶表示器１０７を制御する。
【０１０７】
ピント調整モードに設定されているときにメニューボタン２１３が押圧されると、投影画像調整モードに戻り、図５（ｄ）に示すように、液晶表示器１０７には投影画像調整モードのメニュー画面１０７ｂが表示される。また、このとき、ピント調整用の画像に代えて、投影画像調整モード移行前に投影していた画像が、ピント調整前の状態で投影される。
【０１０８】
すなわち、ピント調整モードに設定されているときにメニュースイッチ２１３ａからの操作信号を受信すると、制御回路５０は、投影画像調整モードに戻って、図５（ｄ）に示す投影画像調整モードのメニュー画面１０７ｂを液晶表示器１０７に表示するよう各部を制御する。また、制御回路５０は、ピント調整前のフォーカスレンズの駆動位置の情報をメモリ６０から読み込んで、フォーカスレンズの駆動位置がピント調整前の駆動位置となるように投射制御回路３０６を制御する。制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【０１０９】
−−−問い合わせ画面１０７ｍが表示された場合−−−
（１）  ユーザによるロータリーセレクタ２１５の回転操作によって、図１３（ａ）に示す問い合わせ画面１０７ｍに表示された「はい」が選択されて、ＯＫボタン２１６が押圧されると、ピント調整用の画像に代えて、投影画像調整モード移行前に投影していた画像が、ピント調整がなされた状態で投影される。また、液晶表示器１０７には、図１３（ｂ）に示すように、ピント調整がこれでよいかどうかを問い合わせる問い合わせ画面１０７ｎが表示される。
【０１１０】
すなわち、制御回路５０は、問い合わせ画面１０７ｍ上で「はい」が選択されているときにＯＫスイッチ２１６ａからの操作信号を受信すると、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【０１１１】
投射制御回路３０６は、図１２のピント調整画面１０７l上で調整・変更された後の、ピント調整がなされた状態で、投影画像調整モード移行前に投影していた画像を液晶パネル３０２に表示するよう各部を制御する。その結果、投影画像調整モード移行前に投影していた画像が、ピント調整がなされた状態で投影されることとなる。
【０１１２】
また、制御回路５０は、図１３（ｂ）に示す問い合わせ画面１０７ｎを表示するよう液晶表示器１０７を制御する。
【０１１３】
（２）  ユーザによるロータリーセレクタ２１５の回転操作によって、図１３（ａ）に示す問い合わせ画面１０７ｍに表示された「いいえ」が選択されて、ＯＫボタン２１６が押圧されると、液晶表示器１０７には、図５（ｄ）に示す、投影画像調整モードのメニュー画面１０７ｂが表示され、再び調節項目の選択が可能となる。また、ピント調整用の画像に代えて、投影画像調整モード移行前に投影していた画像が、ピント調整がなされた状態で投影される。
【０１１４】
すなわち、制御回路５０は、問い合わせ画面１０７ｍ上で「いいえ」が選択されているときにＯＫスイッチ２１６ａからの操作信号を受信すると、図５（ｄ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【０１１５】
投射制御回路３０６は、図１２のピント調整画面１０７l上で調整・変更された後の、ピント調整がなされた状態で、投影画像調整モード移行前に投影していた画像を液晶パネル３０２に表示するよう各部を制御する。その結果、投影画像調整モード移行前に投影していた画像が、ピント調整がなされた状態で投影されることとなる。
【０１１６】
−−−ピント確認のため画像を投影させた場合−−−
（１）  図１３（ｂ）に示す問い合わせ画面１０７ｎに表示された「はい」が選択されて、ＯＫボタン２１６が押圧されたときの電子カメラ１の動作は、上述した、「図１３（ａ）の問い合わせ画面１０７ｍに表示された「いいえ」が選択されて、ＯＫボタン２１６が押圧された」場合と同じである。すなわち、問い合わせ画面１０７ｎに表示された「はい」が選択されて、ＯＫボタン２１６が押圧されると、液晶表示器１０７には、図５（ｄ）に示す、投影画像調整モードのメニュー画面１０７ｂが表示され、再び調節項目の選択が可能となる。また、ピント調整用の画像に代えて、投影画像調整モード移行前に投影していた画像が、ピント調整がなされた状態で投影される。
【０１１７】
すなわち、制御回路５０は、問い合わせ画面１０７ｎ上で「はい」が選択されているときにＯＫスイッチ２１６ａからの操作信号を受信すると、図５（ｄ）に示す、投影画像調整モードのメニュー画面１０７ｂを表示するよう、液晶表示器１０７を制御する。そして、制御回路５０は、投影画像調整モード移行前に投影していた画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【０１１８】
投射制御回路３０６は、図１２のピント調整画面１０７l上で調整・変更された後の、ピント調整がなされた状態で、投影画像調整モード移行前に投影していた画像を液晶パネル３０２に表示するよう各部を制御する。その結果、投影画像調整モード移行前に投影していた画像が、ピント調整がなされた状態で投影されることとなる。
【０１１９】
（２）  図１３（ｂ）に示す問い合わせ画面１０７ｎに表示された「いいえ」が選択されて、ＯＫボタン２１６が押圧されると、液晶表示器１０７には、図１２に示すピント調整画面１０７ｌが表示され、再びピント調節が可能となる。なお、投影画像はピント調整用の画像に再び変更される。すなわち、制御回路５０は、問い合わせ画面１０７ｎ上で「いいえ」が選択されているときにＯＫスイッチ２１６ａからの操作信号を受信すると、図１２のピント調整画面１０７ｌを表示するよう、液晶表示器１０７を制御する。そして、制御回路５０は、メモリ６０からピント調整用の画像データを読み込んで、読み込んだ画像のデータを再生してプロジェクタ部３０から投影するように各部を制御する。
【０１２０】
（３）  図１３（ｂ）に示す問い合わせ画面１０７ｎに表示された「他の画像で確認する」が選択されて、ＯＫボタン２１６が押圧されると、現在投影している画像（投影画像調整モード移行前に投影していた画像）に代えて、当該画像の撮影時よりも前に撮影して得られた画像の中から、最も新しい画像が、ピント調整がなされた状態で投影される。また、液晶表示器１０７には、図１３（ｂ）に示すように、ピント調整がこれでよいかどうかを問い合わせる問い合わせ画面１０７ｎが再び表示される。
【０１２１】
すなわち、制御回路５０は、問い合わせ画面１０７ｎ上で「他の画像で確認する」が選択されているときにＯＫスイッチ２１６ａからの操作信号を受信すると、現在投影している画像の撮影時よりも前に撮影して得られた画像の中から、最も新しい画像のデータをメモリカードインターフェイス１０９を介してメモリカード１１０から読み込む。そして、制御回路５０は、読み込んだ画像のデータを再生して、プロジェクタ部３０から投影するように投射制御回路３０６を制御する。
【０１２２】
投射制御回路３０６は、図１２のピント調整画面１０７l上で調整・変更された後の、ピント調整がなされた状態で、制御回路５０で再生された画像を液晶パネル３０２に表示するよう各部を制御する。その結果、それまで投影されていた画像とは別の画像が、ピント調整がなされた状態で投影されることとなる。
【０１２３】
また、制御回路５０は、図１３（ｂ）に示す問い合わせ画面１０７ｎを表示するよう液晶表示器１０７を制御する。
【０１２４】
−−−簡易調整モードについて−−−
本実施の形態の電子カメラ１では、投影モードで画像を投影しているときに、メニューボタン２１３を一定時間（たとえば１秒）以上押圧し続けると簡易調整モードに移行して、上述した「輝度調整モード」、「色調調整モード」、「キーストン調整モード」、「ピント調整モード」の中から直近に利用された調整モードを利用することができる。具体的には、メニューボタン２１３が一定時間以上押圧され続けると、液晶表示器１０７には、図６、図８、図１０，図１２に示した、各調整画面１０７ｃ，１０７ｆ，１０７ｉ，１０７ｌのいずれかが表示される。また、それぞれの調整モードに対応する上述した調整用の画像が投影される。
【０１２５】
ユーザは、ロータリーセレクタ２１５の回転操作によって上述したように各調整モードにおける調整を行うことができる。ユーザは、ロータリーセレクタ２１５の回転操作によって調整を行った後、ＯＫボタン２１６を押圧することで調整状態を確定することができる。なお、ＯＫボタン２１６が押圧されると、簡易調整モードから投影モードに戻る。
【０１２６】
すなわち、制御回路５０は、直近に利用された調整モードがどの調整モードであるかを示す情報（調整モード履歴）をメモリ６０に記憶させる。制御回路５０は、投影モードで画像を投影しているときに、メニュースイッチ２１３ａからの操作信号を所定時間以上継続して受信すると、メモリ６０に記憶されている調整モード履歴を参照して、直近に利用された調整モードに移行するよう、各部を制御するとともに、当該調整モードで調整される項目の現在の設定状態をメモリ６０に記録させる。
【０１２７】
制御回路５０は、ロータリースイッチ２１５ａからの操作信号に基づいて当該調整モードで調整される項目の内容（駆動電流設定値、ＲＧＢ各色の出力レベル、台形補正のパラメータ、およびフォーカスレンズの駆動位置のいずれか一つ）を変更するよう、投射制御回路３０６を制御する。そして、制御回路５０は、ＯＫスイッチ２１６ａからの操作信号を受信すると、簡易調整モードから投影モードに戻るよう各部を制御する。投射制御回路３０６は、制御回路５０からの制御信号に基づいて、駆動電流設定値、ＲＧＢ各色の出力レベル、台形補正のパラメータ、およびフォーカスレンズの駆動位置のいずれか一つを変更する。
【０１２８】
−−−設定モード−−−
上述したように、プロジェクタ部３０から画像を投影しているときにメニューボタン２１３が押圧されると、図４に示した問い合わせ画像１０７ａが液晶表示器１０７に表示される。ロータリーセレクタ２１５の回転操作によって「プロジェクタ設定」が選択されて、ＯＫボタン２１６が押圧されると、電子カメラ１の動作モードは、プロジェクタに関する設定モード（プロジェクタ設定モード）へ移行する。
【０１２９】
プロジェクタ設定モードでは、たとえば、いわゆるスリープ状態に移行するまでの時間や、操作音・警告音の種類、各ボタンの照明状態などの設定が可能である。なお、プロジェクタ設定モードで設定が変更される内容は、投影される画像の調整に関するものではない。そのため、プロジェクタ部３０から画像を投影しているときにメニューボタン２１３が押圧されても、プロジェクタ設定モードにおける設定画面は、液晶表示器１０７にのみ表示され、プロジェクタ部３０から投影される画像には変化がない。
【０１３０】
上述した電子カメラ１では、次の作用効果を奏する。
（１）  プロジェクタ部３０から画像を投影しているときにメニューボタン２１３が押圧されると、図４に示す問い合わせ画像１０７ａが表示されるように構成した。そして、ロータリーセレクタ２１５の回転操作によって、問い合わせ画像１０７ａの中の「投影画像調整」が選択されて、ＯＫボタン２１６が押圧されると、電子カメラ１の動作モードが投影画像調整モードへ移行するように構成した。これにより、輝度調整や、色調調整、キーストン調整、ピント調整といった投影機能に関する調整を容易に行うことができる。
【０１３１】
また、ロータリーセレクタ２１５の回転操作によって、問い合わせ画像１０７ａの中の「プロジェクタ設定」が選択されて、ＯＫボタン２１６が押圧されると、電子カメラ１の動作モードが、プロジェクタに関する設定モード（プロジェクタ設定モード）へ移行するように構成した。これにより、いわゆるスリープ状態に移行するまでの時間や、操作音・警告音の種類、各ボタンの照明状態など、投影機能に関する設定を容易に行うことができる。
【０１３２】
（２）  「輝度調整モード」、「色調調整モード」、「キーストン調整モード」、「ピント調整モード」の各調整モードにおいて、調整中の液晶表示器１０７には各調整画面１０７ｃ，１０７ｆ，１０７ｉ，１０７ｌを表示させ、プロジェクタ部３０からはメモリ６０から読み出した調整用のそれぞれの画像を投影するように構成した。すなわち、「輝度調整モード」、「色調調整モード」、「キーストン調整モード」、「ピント調整モード」の各調整モードにおいて、調整中に液晶表示器１０７に表示される画像と、プロジェクタ部３０から投影される画像とが異なるように構成した。これにより、液晶表示器１０７に表示される画像およびプロジェクタ部３０から投影される画像のそれぞれを、調整に適した内容とすることができるので、調整がし易い。
【０１３３】
（３）  プロジェクタ部３０から画像を投影しているときにメニューボタン２１３が押圧されると、液晶表示器１０７には図４に示す問い合わせ画像１０７ａが表示され、プロジェクタ部３０からは、それまで投影していた画像を継続して投影されるように構成した。これにより、プロジェクタ部３０から画像を投影しているときにメニューボタン２１３が押圧されても、投影画像の観察者は、観察している画像に特に変化がないので、違和感を覚えることがない。また、その後、プロジェクタ設定モードへ移行しても、上述したようにプロジェクタ部３０から投影される画像には変化がないので、投影画像の観察者に違和感を与えることなく、スリープ状態に移行するまでの時間や、操作音・警告音の種類、各ボタンの照明状態などの設定ができ、利便性が高い。
【０１３４】
（４）  簡易調整モードを設け、メニューボタン２１３を一定時間以上押圧することで、直近に利用された調整モードを利用することができるように構成した。これにより、投影画像に関する調整を行って、一旦画像の投影に戻ったものの、再び調整し直したいと考えるユーザに対して、電子カメラ１の操作回数を少なくすることができるので、操作性が向上する。
【０１３５】
（５）  プロジェクタ部３０から画像を投影しているときにメニューボタン２１３が押圧されると、図４に示す問い合わせ画像１０７ａが表示されるように構成した。これにより、カメラ機能と共有する少ないボタン数でプロジェクタ機能に関する調整や設定のメニュー画面を容易に呼び出すことができ、プロジェクタ機能に関する設定や調整を容易に行うことができる。
【０１３６】
−−−変形例−−−
（１）  上述の説明では、カメラモードで動作中に切替ボタン２１２が押圧されて、電子カメラ１の動作モードが投影モードに移行した際、液晶表示器１０７の表示を中止するように構成したが、本発明はこれに限定されない。たとえば、カメラモードで動作中に切替ボタン２１２が押圧されて、電子カメラ１の動作モードが投影モードに移行した際、プロジェクタ部３０から投影される画像と同じ画像を液晶表示器１０７に表示するように構成してもよい。この場合、プロジェクタ部３０から投影される画像と同じ画像と、当該画像の撮影日時やファイル名などの情報とを液晶表示器１０７に重畳的に表示するように構成してもよい。また、たとえば、カメラモードで動作中に切替ボタン２１２が押圧されて、電子カメラ１の動作モードが投影モードに移行した際、メモリカード１１０に記録されている画像データから、いわゆるサムネイル画像を読み込んで、読み込んだサムネイル画像を一覧表示するように構成してもよい。
【０１３７】
（２）  上述の説明では、カメラモードから投影モードに移行した際、液晶表示器１０７の表示を中止し、その後、メニューボタン２１３が押圧されると、図４に示す問い合わせ画像１０７ａを液晶表示器１０７に表示するように構成したが、本発明はこれに限定されない。たとえば、カメラモードから投影モードに移行した際、液晶表示器１０７の表示を中止し、その後、メニューボタン２１３が押圧されると、図４に示す問い合わせ画像１０７ａと、それまでプロジェクタ部３０から投影していた画像の双方の画像を同時に２画面で投影するように構成してもよい。また、その後の各調整モードにおいても、メニュー画面や調整画面、問い合わせ画面など、上述の説明では液晶表示器１０７に表示させていた画面を、メモリ６０から読み出してプロジェクタ部３０で投影する調整用の画像とともに同時に２画面で投影するように構成してもよい。
【０１３８】
なお、たとえば、電子カメラ１を遠隔操作可能なリモコンを用いて、プロジェクタ機能に関する調整や設定が可能となるように構成した場合には、ユーザは電子カメラ１から離れてリモコンを操作することになる。そのため、リモコンを操作するユーザにとって、液晶表示器１０７に表示される画面は見難いものとなることが考えられる。そこで、リモコンを用いてプロジェクタ機能に関する調整や設定を行う場合には、各調整モードにおいて、メニュー画面や調整画面、問い合わせ画面など、上述の説明では液晶表示器１０７に表示させていた画面を、メモリ６０から読み出してプロジェクタ部３０で投影する調整用の画像とともに同時に２画面で投影するように構成してもよい。
【０１３９】
（３）  上述の説明では、投影モードで画像を投影しているときに、メニューボタン２１３を一定時間以上押圧し続けると簡易調整モードに移行するように構成したが、本発明はこれに限定されない。たとえば、メニューボタン２１３を一定時間以上押圧し続けると直近に利用された調整モードの、各調整画面１０７ｃ，１０７ｆ，１０７ｉ，１０７ｌのいずれかが表示され、メニューボタン２１３を押圧し続けたままでロータリーセレクタ２１５を操作すると、各調整モードにおける調整を行うことができるように構成してもよい。そして、メニューボタン２１３の押圧を止めると、メニューボタン２１３の押圧を止めた時点の各調整モードにおける調節状態が確定して、投影画像に反映されるように構成してもよい。
【０１４０】
（４）  投影モードで画像を投影しているときにスリープ状態へ移行して、画像の投影が一旦中断された後に、メニューボタン２１３が押圧されると、スリープ状態から復帰して、プロジェクタ設定モードへ移行するように構成してもよい。
【０１４１】
（５）  上述の説明では、プロジェクタ部３０から画像を投影しているときにメニューボタン２１３が押圧されると、図４に示す問い合わせ画像１０７ａが表示されるように構成したが、本発明はこれに限定されない。たとえば、プロジェクタ部３０から画像を投影しているときにメニューボタン２１３が押圧されると、電子カメラ１の動作モードが投影画像調整モードへ移行するように構成してもよい。すなわち、プロジェクタ部３０から画像を投影しているときにメニューボタン２１３が押圧されると、図４に示す問い合わせ画像１０７ａの表示を省略して、投影画像調整モードへ即座に移行するように構成してもよい。
【０１４２】
（６）  上述の説明では、メニュースイッチ２１３が電子カメラ１の背面に設けられているが、図１４（ａ）〜（ｃ）に示すように、メニュースイッチ２１３を電子カメラ１の上面に設けてもよい。なお、図1４は、電子カメラ１の外観を示す図であり、図１４（ａ），（ｂ），（ｃ）は、それぞれ電子カメラ１を正面、上面、背面から見た図である。また、電子カメラ１がクレードルに装着可能に構成されている場合には、クレードルにもメニュースイッチを設け、クレードル側のメニュースイッチが押圧されると、クレードルに装着された電子カメラ１で、上述したメニュースイッチ２１３が押圧された場合と同様の操作をするように構成してもよい。
【０１４３】
（７）  上述の説明では、被写体像の撮影機能と、画像の投影機能とを有する電子機器の一例として電子カメラ１について説明したが、本発明は、電子カメラに限定されない。たとえば、被写体像の撮影機能と、画像の投影機能とを有する携帯可能なテレビや、画像再生装置、携帯電話機、ＰＤＡ、ノートＰＣなど各種の電子機器に適用可能である。
（８）  上述した各実施の形態および変形例は、それぞれ組み合わせてもよい。
【０１４４】
なお、本発明は、上述した実施の形態のものに何ら限定されず、被写体像を撮像する撮像手段と、画像を投影する投影手段と、電子機器本体に設けられた表示手段と、撮像手段によって被写体像を撮像する撮影モードと、投影手段によって画像を投影する投影モードとを切り替えて設定するモード設定手段と、設定や調整を行うための画面を呼び出すための操作入力を受け付ける操作部材と、モード設定手段によって撮影モードに設定されている場合には、操作部材が操作されると被写体像の撮像に関して設定や調整を行うための画面を表示手段に表示させ、モード設定手段によって投影モードに設定されている場合には、操作部材が操作されると画像の投影に関して設定や調整を行うための画面を表示手段に表示させるよう制御する画面表示制御手段とを備えることを特徴とする各種構造の電子機器を含むものである。
【図面の簡単な説明】
【０１４５】
【図１】電子カメラ１の外観図である。
【図２】電子カメラ１のブロック図である。
【図３】プロジェクタ部３０の構成図である。
【図４】液晶表示器１０７に表示される画面を示す図である。
【図５】液晶表示器１０７に表示される画面を示す図である。
【図６】液晶表示器１０７に表示される画面を示す図である。
【図７】液晶表示器１０７に表示される画面を示す図である。
【図８】液晶表示器１０７に表示される画面を示す図である。
【図９】液晶表示器１０７に表示される画面を示す図である。
【図１０】液晶表示器１０７に表示される画面を示す図である。
【図１１】液晶表示器１０７に表示される画面を示す図である。
【図１２】液晶表示器１０７に表示される画面を示す図である。
【図１３】液晶表示器１０７に表示される画面を示す図である。
【図１４】変形例を示す図である。
【符号の説明】
【０１４６】
１  電子カメラ                    ３０  プロジェクタ装置（プロジェクタ部）
４０  撮像部                      ５０  制御回路
６０  メモリ                      １０７  液晶表示器
１０７ａ，１０７ｄ，１０７ｅ，１０７ｇ，１０７ｈ，１０７ｊ，１０７ｋ，１０７ｍ，１０７ｎ  問い合わせ画像
１０７ｂ  メニュー画面            １０７ｃ  輝度調整画面
１０７ｆ  色調調整画面            １０７ｉ  キーストン調整画面
１０７ｌ  ピント調整画面          １０９  メモリカードインターフェイス
１１０  メモリカード              ２１２  切替ボタン
２１２ａ  切替スイッチ            ２１３  メニューボタン
２１３ａ  メニュースイッチ        ２１５  ロータリーセレクタ
２１５ａ  ロータリースイッチ      ２１６  ＯＫボタン
２１６ａ  ＯＫスイッチ
【図１】
2008252603.tif 000003
【図２】
2008252603.tif 000004
【図３】
2008252603.tif 000005
【図４】
2008252603.tif 000006
【図５】
2008252603.tif 000007
【図６】
2008252603.tif 000008
【図７】
2008252603.tif 000009
【図８】
2008252603.tif 000010
【図９】
2008252603.tif 000011
【図１０】
2008252603.tif 000012
【図１１】
2008252603.tif 000013
【図１２】
2008252603.tif 000014
【図１３】
2008252603.tif 000015
【図１４】
2008252603.tif 000016